(57)【特許請求の範囲】
【請求項１】
肌に当接する表面層、防漏層、及びこれら両層間に介在された吸収層を備え、装着時に装着者の排泄部位に対向配置される前方部と、該前方部より背側に配される後方部とを、長手方向に有する生理用ナプキンであって、
前記吸収層は、前記前方部から前記後方部に延びる縦長の下層吸収体と、前記後方部における該下層吸収体の肌当接面側に配置された後方吸収体と、前記前方部における該下層吸収体の肌当接面側に配置された上層吸収体とを具備し、
前記後方吸収体は、平坦な一枚の板状部材から形成され、且つ前記下層吸収体の前記後方部における左右両側縁それぞれから幅方向外方に延出する一対の後方フラップを有しており、
前記上層吸収体は、縦長で且つ前記下層吸収体よりも幅狭であり、且つ前記生理用ナプキンの装着時に装着者の排泄部位を跨ぐように配置されており、
前記上層吸収体の一部が前記後方部に位置しており、該一部と前記下層吸収体との間に前記後方吸収体が介在されており、
前記表面層の肌当接面側に、該表面層と前記後方吸収体と前記下層吸収体とが一体的に圧密化されて形成された防漏溝が形成されており、該防漏溝にて該表面層、該後方吸収体及び該下層吸収体が接合されており、
前記防漏溝は、前記生理用ナプキンの後端側に向けて凸の略Ｕ字状に形成され、且つ前記上層吸収体の長手方向後端部を囲んでおり、該防漏溝の該凸の頂部は、該生理用ナプキンの幅方向中央に位置している生理用ナプキン。
【発明の詳細な説明】
【技術分野】
【０００１】
本発明は、生理用ナプキン、パンティライナー（おりものシート）、失禁パッド等の吸収性物品に関する。
【背景技術】
【０００２】
生理用ナプキン等の吸収性物品には、吸収層及び防漏層を備えた吸収性本体と、該吸収性本体の両側部それぞれから幅方向外方に延出する一対の後方フラップとを有するものがある。後方フラップとは、吸収性本体から延出した状態で折り返されることなくショーツ等の下着に装着されて用いられるもので、主として、装着者の臀部を覆って、臀部側からの液漏れ（後漏れ）を防止する役割を担うものである。
【０００３】
後方フラップを有する吸収性物品に関し、例えば特許文献１には、鼓形形状の転移層と該転移層の非肌当接面側に積層された矩形形状の蓄積層とを有し、該転移層が、吸収性物品の前方部及び後方部それぞれにおいて、該蓄積層の左右両側部それぞれから幅方向外方に延出された一体化吸収性構造体が記載されている。
また特許文献２には、後方フラップに吸収層（フラップ吸収層）を設け、吸収性本体から溢れた体液を後方フラップにおいて吸収できるようにすることで、全体としての防漏性を向上させた吸収性物品が記載されている。
【０００４】
【特許文献１】特開平２−１６８９４９号公報
【特許文献２】特開２０００−１８９４５９号公報
【発明の開示】
【発明が解決しようとする課題】
【０００５】
しかし、特許文献１記載の吸収性物品においては、後方部における前記転移層の前記蓄積層の側部からの延出程度が、通常の後方フラップを有する吸収性物品における該後方フラップの本体からの延出程度に比して少なく、該転移層は、後方フラップとしての役割を実質的に果たし得ない。後方フラップは、装着者の臀部を大きく包み込むことのできる充分な長さ（延出程度）を有することによってはじめて、後漏れを防止することができるのであり、斯かる後方フラップを有していない特許文献１記載の吸収性物品は、後漏れを起こすおそれがある。
【０００６】
また、特許文献２記載の吸収性物品においては、フラップ吸収層とフラップ防漏層（後方フラップの下面を形成する防漏層）との界面の空間の大きさは極めて小さくなっている。そのため、後方フラップにおいて、フラップ吸収層に吸収された体液は、厚み方向に移動した後、毛管力により、フラップ吸収層とフラップ防漏層との界面の空間を過度に拡散しやすく、これに起因してフラップ吸収層に一旦吸収された体液が後方フラップの周縁部から漏れ出しやすい。このような現象は、フラップ吸収層の液拡散性が低い場合に特に顕著に発生する。
また、特許文献２記載の吸収性物品は、幅広のウイング部用吸収体の上に幅狭の本体吸収体を積層した構成を有しており、肌当接面側における本体吸収体とウイング部用吸収体との境界に段差が形成されているため、装着時において後方フラップと装着者の身体との間に隙間が生じやすく、フィット性の点、ひいては後漏れの防止の点で改良の余地があった。
【０００７】
従って、本発明の目的は、身体に対するフィット性に優れ、漏れが生じ難い吸収性物品を提供することにある。
【課題を解決するための手段】
【０００８】
本発明は、肌に当接する表面層、防漏層、及びこれら両層間に介在された吸収層を備え、装着時に装着者の排泄部位に対向配置される前方部と、該前方部より背側に配される後方部とを、長手方向に有する吸収性物品であって、前記吸収層は、前記前方部から前記後方部に延びる縦長の下層吸収体と、前記後方部における該下層吸収体の肌当接面側に配置された後方吸収体と、前記前方部における該下層吸収体の肌当接面側に配置された上層吸収体とを具備し、前記後方吸収体は、前記下層吸収体の前記後方部における左右両側縁それぞれから幅方向外方に延出する一対の後方フラップを有している吸収性物品を提供することにより、前記目的を達成したものである。
【発明の効果】
【０００９】
本発明の吸収性物品は、身体に対するフィット性に優れ、漏れ、特に後漏れが生じ難い。
【発明を実施するための最良の形態】
【００１０】
以下、本発明の吸収性物品を、その好ましい実施形態に基づき図面を参照して説明する。
図１及び図２には、本発明の吸収性物品の第１実施形態としての生理用ナプキンが示されている。
【００１１】
第１実施形態のナプキン１は、装着時に装着者の肌に当接する表面層としての液透過性の表面シート２、防漏層としての液不透過性又は撥水性の裏面シート３、及びこれら両層２，３間に介在された吸収層としての液保持性の吸収体４を備え、実質的に縦長の形状を有している。
ナプキン１は、装着時に装着者の排泄部位に対向配置される前方部Ａと、装着時に該前方部Ａより背側（後方）に配される後方部Ｂとを、長手方向に有している。第１実施形態における前方部Ａと後方部Ｂとの境界は、ナプキン１の長手方向の略中央部に存する。
【００１２】
表面シート２は、吸収体４の上面（肌当接面側）の全域を被覆し、裏面シート３は、吸収体４の下面（非肌当接面側）の全域を被覆している。表面シート２及び裏面シート３は、吸収体４の側縁から外方に延出してフラップ部を形成している。該フラップ部は、ナプキン１の前方部Ａの位置において、ナプキン１の幅方向外方へ更に延出しており、一対のウイング部５，５を形成している。ウイング部５は、ナプキン１の装着時に下着のクロッチ部の外面側に折り返されて用いられる。表面シート２及び裏面シート３は、吸収体４の両側縁及び長手方向両端からの延出部分の端部において、互いにヒートシール等により接合されてシール部を形成している。裏面シート３の非肌当接面側における吸収体４の下方に位置する所定箇所には、本体粘着部（図示せず）が、ウイング部５の非肌当接面側には、ウイング部粘着部（図示せず）が、それぞれ設けられている。本体粘着部及びウイング部粘着部は、何れもナプキン１を下着に固定するための固定手段であり、ホットメルト粘着剤を所定箇所に塗布することにより設けられている。本体粘着部及びウイング部粘着部は、ナプキン１の使用前においては、フィルム、不織布、紙などからなる剥離シート（図示せず）によって被覆されている。
【００１３】
尚、「肌当接面側」は、ナプキン装着時に装着者の肌側に向けられる面であり、「非肌当接面側」は、ナプキン装着時に下着側（着用者の肌側とは反対側）に向けられる面である。また、「長手方向」は、ナプキン又は各種部材の長手方向に沿う方向であり、「幅方向」は、長手方向と直交する方向である。
【００１４】
図３は、第１実施形態の吸収体４の肌当接面側を示す平面図である。吸収体４は、前方部Ａから後方部Ｂに延びる縦長の下層吸収体４０と、後方部Ｂにおける下層吸収体４０の肌当接面側に配置された後方吸収体４１と、前方部Ａにおける下層吸収体４０の肌当接面側に配置された上層吸収体４２とを具備し、後方吸収体４１は、下層吸収体４０の後方部Ｂにおける左右両側縁４０ａ，４０ａそれぞれから幅方向外方に延出する一対の後方フラップ４１Ｆ，４１Ｆを有している。第１実施形態においては、後方吸収体４１は、段差の無い（後述する防漏溝６による段差を除く）平坦な一枚の板状部材から形成されている。一対の後方フラップ４１Ｆ，４１Ｆ間に挟まれた、後方吸収体４１の幅方向中央部４１Ｃは、下層吸収体４０と同じ幅（Ｗ２）を有し、後方部Ｂにおける下層吸収体４０の肌当接面側の略全面を被覆している。後方吸収体４１の幅方向中央部４１Ｃの長手方向前端は、外方に向けて凹の円弧状を有し、長手方向後端は、外方に向けて凸の円弧状を有している。後方吸収体４１は、この幅方向中央部４１Ｃの長手方向後端を、下層吸収体４０の長手方向一端（後端）に一致させて配されている。
【００１５】
このように、第１実施形態の後方部Ｂにおいては、下層吸収体４０の上（肌当接面側）に、一対の後方フラップ４１Ｆ，４１Ｆを有し、下層吸収体４０よりも幅広の後方吸収体４１が配置されており、後方吸収体４１の幅方向中央部４１Ｃと該幅方向中央部４１Ｃに連なる後方フラップ４１Ｆとの境界には段差がない。後方部Ｂの斯かる構成により、ナプキン１の装着時においては、後方吸収体４１がナプキン装着者の臀部にフィットし、後方フラップ４１Ｆと装着者の肌との間に隙間が生じにくく、良好なフィット性、漏れ防止性が得られる。
【００１６】
後方フラップ４１Ｆの幅方向の長さ（最大幅）Ｗ１と下層吸収体４０の幅方向の長さＷ２との比（Ｗ１／Ｗ２）は、好ましくは０．３〜０．６、更に好ましくは０．４〜０．５である。最大幅Ｗ１は、好ましくは２０〜５０ｍｍ、更に好ましくは３０〜４０ｍｍである。また、後方フラップ４１Ｆの長手方向の長さは、下層吸収体４１の長手方向の長さ（全長）に対して、好ましくは３０〜７０％、更に好ましくは４０〜６０％である。第１実施形態においては、後方フラップ４１Ｆは下層吸収体４１の後方部に位置する部分の長手方向の略全体に亘って形成されており、第１実施形態の後方フラップ４１Ｆの長手方向の長さは、下層吸収体４１の長手方向の全長の略５０％に相当する。
【００１７】
後方吸収体４１は、適度な剛性を有するものが好ましい。具体的には、後方吸収体４１に０．５ｇ／ｃｍ2の荷重をかけた状態から該荷重を３０ｇ／ｃｍ2に変化させたときの該後方吸収体４１の厚みの変化率が、好ましくは２０〜７０％、更に好ましくは３０〜５０％の範囲にあるものが好ましい。この厚みの変化率は、ハンディ圧縮試験機ＫＥＳ−Ｇ５（カトーテック製）を用い、次式により求められる。厚みの変化率（％）＝[（Ｔ０−Ｔ３０）／Ｔ０]×１００  式中、Ｔ０は、後方吸収体４１の０．５ｇ／ｃｍ2の荷重下における厚み、Ｔ３０は、後方吸収体４１の３０ｇ／ｃｍ2の荷重下における厚みである。
上記厚みの変化率は、吸収性物品の装着時の圧力や、装着者の歩く／座る等の動作によって生じる圧縮力に起因する後方吸収体４１の変形の程度を示す。上記厚みの変化率が上記範囲にある後方吸収体４１は、適度な剛性を有しているため、後述するように、ナプキン装着時に上層吸収体４２（中高部）が体圧等により下方に沈み込みにくくなり、これにより、上層吸収体４２の身体（股間部）に対するフィット性が高まる。
【００１８】
また、後方吸収体４１は、０．５ｇ／ｃｍ2の荷重をかけた状態から該荷重を３０ｇ／ｃｍ2に変化させたときの該後方吸収体４１の厚みの変化率（以下、厚み変化率Ａという）が上記範囲にあることに加えて、更に、３０ｇ／ｃｍ2の荷重をかけた状態から該荷重を５０ｇ／ｃｍ2に変化させたときの該後方吸収体４１の厚みの変化率（以下、厚み変化率Ｂという）が、好ましくは５〜３０％、更に好ましくは１０〜２０％の範囲にあるものが好ましい。厚み変化率Ｂは、上述した厚み変化率Ａの測定と同様にハンディ圧縮試験機ＫＥＳ−Ｇ５（カトーテック製）を用いて、次式により求められる。厚み変化率Ｂ（％）＝[（Ｔ３０−ＴＭ）／Ｔ０]×１００  式中、Ｔ３０は、後方吸収体４１の３０ｇ／ｃｍ2の荷重下における厚み、ＴＭは、後方吸収体４１の５０ｇ／ｃｍ2の荷重下における厚み、Ｔ０は、後方吸収体４１の０．５ｇ／ｃｍ2の荷重下における厚みである。
後方吸収体４１の上記厚み変化率Ａ及びＢがそれぞれ上記範囲にあることにより、厚み変化率Ａが特定範囲にあることによる上述した効果に加え、厚み変化率Ｂが特定範囲にあることによる効果として、高圧力下での上層吸収体４２（中高部）の沈み込みが起こりやすさから、装着感を更に向上することができる。
尚、前記ハンディ圧縮試験機ＫＥＳ−Ｇ５による厚みの測定は、ＫＥＳ−Ｇ５ハンディ圧縮プログラムによる自動計測により行うことができ、その測定条件は次の通りである。試料：布・フィルム（後方吸収体４１の形成材料）、ＳＥＮＳ：２、ＳＰＥＥ  ＤＲＡＮＧＥ：０．１ｃｍ／ｓｅｃ、ＤＥＦ感度：５（必要に応じて変更可能）、加圧面積：２ｃｍ2、測定加重：０．５、３０、５０（ｇ／ｃｍ2）
【００１９】
後方吸収体４１の無荷重下における厚みは、好ましい剛性及び液拡散性を得る観点から、好ましくは０．５〜３ｍｍ、更に好ましくは０．６〜１．５ｍｍである。
同様の観点から、後方吸収体４１の坪量は、好ましくは４０〜１５０ｇ／ｍ2、更に好ましくは５０〜１００ｇ／ｍ2である。
【００２０】
後方吸収体４１としては、液保持性を有するシート状材料が好ましく、例えば、紙、あるいは繊維表面が親水性である不織布（例えばレーヨン等を配合したスパンレース不織布やエアスルー不織布）等を用いることができる。また、液拡散性の低いシート状材料を用いることもできる。液拡散性の低いシート状材料の具体例としては、パルプを積繊し、バインダーで固定した乾式パルプシート〔商品名「ＪＳ−５０ＨＢ」ハビックス（株）製等〕や、湿式吸収紙にエンボス加工したエンボス吸収紙等が挙げられ、そのうち、コストの点からエンボス吸収紙が特に好ましい。これらの中でも、特に、乾式パルプシートの積層体、あるいは乾式パルプシートとスパンレース不織布との複合積層体は、後方吸収体４１として好ましく用いられる。
【００２１】
上層吸収体４２は、縦長で且つ下層吸収体４０よりも幅狭であり、且つナプキン１の装着時に装着者の排泄部位Ｐを跨ぐように配置されている。上層吸収体４２は、下層吸収体４０の幅方向中央部に、その長手方向を該下層吸収体４２の長手方向に一致させて該下層吸収体４０の上（肌当接面側）に配されている。上層吸収体４２の斯かる構成・配置により、ナプキン１の肌当接面側における、上層吸収体４２が位置するナプキン１の幅方向中央部は、他の部分に比して嵩高の中高部となる。この中高部は、ナプキン１の装着時において、排泄部位Ｐを跨ぐように装着者の股間部にフィットし、排泄部位Ｐから排泄された液は、先ず、中高部を形成する上層吸収体４２によって吸収される。従って、中高部（上層吸収体４２）の存在により、後方部Ｂに流れる液が少なくなり、この結果、後漏れが生じにくくなる。
【００２２】
また、第１実施形態においては、上層吸収体４２の一部（図３中、斜線を付した部分）が後方部Ｂに位置しており、該一部と下層吸収体４０との間に後方吸収体４１が介在されている。このように、上層吸収体４２と下層吸収体４０との間に後方吸収体４１が配されていることにより、後方吸収体４１が液の拡散を抑制するため、後方部Ｂにおいては、排泄された液が、吸収体４（吸収層）の厚み方向に上層吸収体４２、後方吸収体４１、下層吸収体４０を順次移動して拡散されるようになり、後方部Ｂにおける液の吸収効率が向上し、ひいてはナプキン全体の液の吸収効率が向上する。また、上層吸収体４２と下層吸収体４０との間に後方吸収体４１が配されていることにより、ナプキン装着時に中高部（上層吸収体４２）が体圧等により下方に沈みこみにくくなり、中高部の股間部に対するフィット性が向上する。このフィット性の向上効果は、後方吸収体４１の剛性が上記範囲にある場合に特に顕著である。
以上の効果を確実に奏させるようにする観点から、後方吸収体４１における、上層吸収体４２と下層吸収体４０との間に挟まれた部分の面積は、後方吸収体４１の肌当接面側の全面積に対して、好ましくは５〜３０％、更に好ましくは１０〜２０％である。
【００２３】
上層吸収体４２の幅方向の長さ（最大幅）Ｗ３と下層吸収体４０の幅方向の長さＷ２との比（Ｗ３／Ｗ２）は、好ましくは１５〜５０、更に好ましくは２０〜４０である。最大幅Ｗ３は、好ましくは１０〜４０ｍｍ、更に好ましくは２０〜３０ｍｍである。また、上層吸収体４２の長手方向の長さは、下層吸収体４１の長手方向の全長に対して、好ましくは２０〜８０％、更に好ましくは４０〜７０％である。
【００２４】
上層吸収体４２としては、通常、生理用ナプキンにおいて吸収体として用いられるものを特に制限無く用いることができ、例えば、解繊パルプ等の親水性繊維からなる繊維集合体、又は該繊維集合体に高吸収性ポリマーを保持させたもの等を用いることができる。このような繊維集合体は、紙や不織布などからなる台紙によって略全体が被覆されていてもよい。
【００２５】
上層吸収体４２の無荷重下における厚みは、身体へのフィット性を高め、装着時の違和感を少なくする観点から、好ましくは２〜７ｍｍ、更に好ましくは３〜５ｍｍである。
同様の観点から、上層吸収体４２の坪量は、好ましくは１５０〜５００ｇ／ｍ2、更に好ましくは２００〜４００ｇ／ｍ2である。
【００２６】
下層吸収体４０としては、上層吸収体４２と同様のものを用いることができる。下層吸収体４０の長手方向の長さ（全長）は、好ましくは２５〜４５ｃｍ、更に好ましくは２８〜４０ｃｍである。
下層吸収体４０の無荷重下における厚みは、液引き込み性及び液保持性の観点から、好ましくは１．５〜６ｍｍ、更に好ましくは２．５〜４．５ｍｍである。
同様の観点から、下層吸収体４０の坪量は、好ましくは１５０〜５００ｇ／ｍ2、更に好ましくは２００〜４００ｇ／ｍ2である。また、下層吸収体４０は、上層吸収体４２よりも高密度であることが好ましい。吸収体の密度は、例えばエンボス処理のような圧縮手段を用いることにより、高めることができる。
【００２７】
上層吸収体４２の非肌当接面側と下層吸収体４０の肌当接面側との間、後方吸収体４１の非肌当接面側と下層吸収体４０の肌当接面側との間、上層吸収体４２の非肌当接面側と後方吸収体４１の肌当接面側との間は、それぞれ、接着剤等の接合手段により接合されていても良い。
【００２８】
第１実施形態においては、図１に示すように、表面層としての表面シート２の肌当接面側に、該表面シート２と後方吸収体４１と下層吸収体４０とが一体的に圧密化されて形成された防漏溝６が形成されている。防漏溝６は、ナプキン１の後端側に向けて凸の略Ｕ字状に形成されており、上層吸収体４２の長手方向後端部を囲んでいる。防漏溝６の該凸の頂部は、ナプキン１の幅方向中央に位置している。このように、ナプキン１の後方部Ｂにおける肌当接面側に防漏溝６が形成され、該防漏溝６にて表面シート２、後方吸収体４１及び下層吸収体４０が接合されていることにより、吸収体４（吸収層）の厚み方向の液の伝達性が高められると共に、吸収体４の厚み方向と直交する方向（平面方向）の液の拡散が効果的に抑制されるようになり、特に後方部Ｂでの液の吸収効率が一層高められる。また、防漏溝６の存在により、後方部Ｂの上向きの可撓性が高まり、身体に対するフィット性が一層向上する。防漏溝６は、例えばヒートエンボス加工により形成することができる。
【００２９】
防漏溝６による上述した効果を確実に奏させる観点から、防漏溝６の幅は、好ましくは１〜５ｍｍ、更に好ましくは２〜３ｍｍである。また、防漏溝６の深さ（Ｄ）の、該防漏溝６の形成されていない部分（但し、防漏溝６が形成されている部分と同一の構成部材からなる部分に限る）の厚さＴ０に対する割合（％）[＝（Ｄ／Ｔ０）×１００]は、好ましくは６０〜９９％、更に好ましくは８０〜９５％である。
【００３０】
表面層を構成する表面シート２、防漏層を構成する裏面シート３としては、それぞれ当該技術分野において従来用いられている各種のものを特に制限なく用いることができる。表面シート２としては、例えば、不織布や開孔フィルム等の各種液透過性のシート材を用いることができる。裏面シート３は、液不透過性でも液透過性でも良く、例えば、透湿性を有しない樹脂フィルムや、微細孔を有し、透湿性を有する樹脂フィルム、撥水不織布等の不織布、これらと他のシートとのラミネート体等を用いることができる。
【００３１】
第１実施形態のナプキン１は、通常の後方フラップ付きの（夜用の）生理用ナプキンと同様に下着に装着して使用できる。
そして、第１実施形態のナプキン１によれば、上述の如く構成されているので、後方フラップ４１Ｆが装着者の肌に隙間無くフィットし、良好な装着感が得られると共に、後漏れが効果的に防止される。これに対し、例えば上述した特許文献２に記載の吸収性物品、即ち、第１実施形態のナプキン１とは逆に、幅広のウイング部用吸収体の上（肌当接面側）に該ウイング部用吸収体よりも幅狭の本体吸収体を積層した構成を有する後方フラップ付きのナプキンでは、後方フラップの付け根に段差が形成されるため、後方フラップの身体に対するフィット性に劣り、本発明の第１実施形態と同等の効果は到底得られない。
【００３２】
また、第１実施形態のナプキン１は、縦長で且つ下層吸収体４０よりも幅狭の上層吸収体４２が、ナプキン１の装着時に装着者の排泄部位Ｐを跨ぐように配置されており、肌当接面側に装着者の股間部にフィットする中高部（上層吸収体４２）を有しているので、排泄された液が最初に中高部に吸収されることで、後方部Ｂに液が流れにくくなり、後漏れが一層低減される。
更に、上層吸収体４２（中高部）の一部が後方部Ｂに位置し、該一部と下層吸収体４０との間に後方吸収体４１が介在されていることにより、後方部Ｂにおける液の吸収効率が一層向上すると共に、中高部の体圧等による沈み込みが抑制され、中高部の身体に対するフィット性が一層高まる。
また、上述した防漏溝６の存在により、後方部Ｂにおける吸収体４（吸収層）の厚み方向の液の伝達性が一層高まると共に、吸収体４の厚み方向と直交する方向（平面方向）の液の拡散が効果的に抑制され、更には、後方部Ｂの上向きの可撓性が高まり、後方部Ｂの身体に対するフィット性が一層高まる。特に、後方吸収体４１が上層吸収体４２及び下層吸収体４０とは異なる材料から形成されている場合は、吸収体４の厚み方向における材質の連続性が後方吸収体４１において途切れることとなるため、吸収体４の厚み方向の液の伝達性の低下が懸念されるところ、防漏溝６が形成されていることにより、この材質の異なる後方吸収体４１に起因する液の伝達性の低下分は充分にカバーされる。
【００３３】
次に、本発明の第２実施形態について図４〜図６を参照して説明する。後述する第２実施形態については、上述した第１実施形態のナプキン１と異なる構成部分を主として説明し、同様の構成部分は同一の符号を付して説明を省略する。特に説明しない構成部分は、第１実施形態のナプキン１についての説明が適宜適用される。
【００３４】
第２実施形態のナプキン１は、図４及び図６に示すように、上層吸収体４２と後方吸収体４１とが平面視において離間して配置されている点、及び防漏溝の形成パターンの点が、第１実施形態と異なる。即ち、第２実施形態においては、上層吸収体４２は前方部Ａにのみ位置しており、上層吸収体４２と後方吸収体４１とは直接的にも間接的にも重なっておらず、後方吸収体４１の上方及び下方の何れにも上層吸収体４２は配されていない。そして、表面シート２の肌当接面側に、防漏溝６（表面シート２と後方吸収体４１と下層吸収体４０とが一体的に圧密化されて形成された防漏溝）に加えて、該表面シート２と下層吸収体４０とが一体的に圧密化されて形成された防漏溝７が形成されており、上層吸収体４２が該防漏溝７に囲まれている。即ち、防漏溝７は、平面視において楕円形状に形成された部分を有しており、上層吸収体４２は、この楕円形状の防漏溝７によって包囲されており、これにより、表面シート２と下層吸収体４０とからなる閉鎖空間に封入されている。防漏溝６と防漏溝７とは連結されており、表面シート２の肌当接面側に形成されている防漏溝は全て連続して形成されている。防漏溝７は、防漏溝６と同様にヒートエンボス加工により形成することができ、その幅や深さは、防漏溝６と同じに設定することができる。
【００３５】
このような構成を有する第２実施形態によっても、第１実施形態と同様の効果が奏される。特に、第２実施形態においては、防漏溝７によって上層吸収体４２（中高部）が囲まれているため、排泄された液の多くを防漏溝７で囲まれた領域、あるいは前方部Ａにて吸収・保持することが可能となり、後方部Ｂに流れる液の量を大幅に低減し、後漏れを効果的に防止することができる。また、防漏溝６と防漏溝７とが連結されていることにより、第１実施形態に比して、吸収体４の厚み方向と直交する方向（平面方向）の液の拡散がより効果的に防止されると共に、後方部Ｂの上向きの可撓性が一層高まり、後方部Ｂの身体に対するフィット性がより一層向上する。
【００３６】
以上、本発明をその好ましい実施形態に基づき説明したが、本発明は前記実施形態に制限されない。
例えば、ウイング部５には吸収体が設けられていても良い。また、ウイング部５自体が無くても良い。
また、前記実施形態では、本発明の吸収性物品の適用例の一つとして生理用ナプキンを挙げたが、例えばパンティライナー（おりものシート）、失禁パッド等にも適用できる。
【図面の簡単な説明】
【００３７】
【図１】本発明の第１実施形態である生理用ナプキンの肌当接面側（表面シート側）を示す平面図である。
【図２】図１のＩ−Ｉ線断面を模式的に示す断面図である。
【図３】図１に示すナプキンを構成する吸収体の肌当接面側を示す平面図である。
【図４】本発明の第２実施形態である生理用ナプキンの肌当接面側（表面シート側）を示す平面図である。
【図５】図４のＩ−Ｉ線断面を模式的に示す断面図である。
【図６】図４に示すナプキンを構成する吸収体の肌当接面側を示す平面図である。
【符号の説明】
【００３８】
１  生理用ナプキン（吸収性物品）
２  表面シート（表面層）
３  裏面シート（防漏層）
４  吸収体（吸収層）
４０  下層吸収体
４１  後方吸収体
４１Ｆ  後方フラップ
４１Ｃ  後方吸収体の幅方向中央部
４２  上層吸収体
５  ウイング部
６  表面層と後方吸収体と下層吸収体とが一体的に圧密化されて形成された防漏溝
７  表面層と下層吸収体とが一体的に圧密化されて形成された防漏溝
Ａ  前方部
Ｂ  後方部
P  ナプキン装着者の排泄部位
【図１】
0005001097.tif 000002
【図２】
0005001097.tif 000003
【図３】
0005001097.tif 000004
【図４】
0005001097.tif 000005
【図５】
0005001097.tif 000006
【図６】
0005001097.tif 000007